(57)【要約】【課題】必要以上にメモリの増加がなく、ユーザの嗜好に合わせた壁紙又はスクリーンセーバの画像データを表示することを可能とするディスク再生装置を提供すること。【解決手段】再生部７で再生されるディスク７ａ内の所定位置にある画像データを、キー操作部２の操作によって指定し、指定された画像データを記憶装置部８に格納する。この記憶装置部８に格納された画像データを、壁紙又はスリーンセーバとして所定のタイミングで呼出して表示部１で表示する。【選択図】      図１
2004214749.tif 000002
【特許請求の範囲】
【請求項１】
ディスク再生手段と、
ディスク内の所定位置にある画像データを指定する指定手段と、
前記指定手段で指定された画像データを記憶する記憶手段と、
前記記憶手段に記憶された前記画像データを壁紙又はスリーンセーバとして所定のタイミングで呼出し出力する制御手段と
を備えていることを特徴とするディスク再生装置。
【請求項２】
前記ディスク内の所定位置にある画像データは、圧縮音声ディスクの圧縮音声ファイル内に格納されている画像データであることを特徴とする請求項１記載のディスク再生装置。
【請求項３】
前記制御手段は、予め用意された装置固有の画像データ又は前記指定手段で指定された画像データのどちらかを選択して出力することを特徴とする請求項１記載のディスク再生装置。
【請求項４】
前記制御手段は、前記ディスク再生手段がディスク再生中の場合は、予め用意された装置固有の画像データ又は前記再生中ディスク内の所定位置にある画像データのどちらかを選択して出力することを特徴とする請求項１記載のディスク再生装置。
【請求項５】
前記指定手段は、前記ディスク内に含まれる画像データを表示した後に、希望の画像データを指定することを特徴とする請求項１記載のディスク再生装置。
【請求項６】
前記指定手段で指定された画像データを表示画面サイズに合わせて変換後、前記記憶手段に記憶することを特徴とする請求項１記載のディスク再生装置。
【発明の詳細な説明】
【０００１】
【発明の属する技術分野】
本発明は、ディスク再生装置に関する。
【０００２】
【従来の技術】
従来、例えばＡＶ機器では、図９、図１０のフローチャートに示すとおり、壁紙やスクリーンセーバに使用する画像データは、内部メモリ（ＲＯＭ又はＲＡＭ）に予め格納されている固定の画像データを用いて表示していた。
【０００３】
また、ユーザが指定した映像データを格納しておき、所定のタイミングで表示している（例えば、特許文献１参照）。
【０００４】
また、光ディスクに記録された映像を記憶しておきスクリーンセーバとして利用して表示しているものもある（例えば、特許文献２参照）。
【０００５】
【特許文献１】
特開２００１−２７３７０２号公報（第３頁、図３及び図５）
【特許文献２】
特開２００１−２８５８０４号公報（第５頁、図６）
【０００６】
【発明が解決しようとする課題】
しかしながら、上述のＡＶ機器では、ユーザが個人の嗜好に合わせて壁紙やスクリーンセーバを設定することができず、限られた容量のメモリに壁紙やスクリーンセーバ用の画像データを複数設けることもコスト面等から困難であり、また、上記の特許文献に記載されている光ディスク再生装置においても、限られたメモリ容量でユーザの嗜好に合わせて壁紙又はスクリーンセーバを認定、表示することは困難である。
【０００７】
そこで、本発明は、上述した従来の問題点に鑑み、必要以上にメモリの増加がなく、ユーザの嗜好に合わせた壁紙又はスクリーンセーバの画像データを表示することを可能とするディスク再生装置を提供することを目的としている。
【０００８】
【課題を解決するための手段】
上記課題を解決するために、本発明によるディスク再生手段は、ディスク再生手段と、ディスク内の所定位置にある画像データを指定する指定手段と、指定手段で指定された画像データを記憶する記憶手段と、記憶手段に記憶された画像データを壁紙又はスリーンセーバとして所定のタイミングで呼出し出力する制御手段とを備えていることを特徴とする。
【０００９】
また、前記ディスク内の所定位置にある画像データは、圧縮音声ディスクの圧縮音声ファイル内に格納されている画像データであることを特徴とする。
【００１０】
また、前記制御手段は、予め用意された装置固有の画像データ又は前記指定手段で指定された画像データのどちらかを選択して出力することを特徴とする。
【００１１】
また、前記制御手段は、前記ディスク再生手段がディスク再生中の場合は、予め用意された装置固有の画像データ又は前記再生中ディスク内の所定位置にある画像データのどちらかを選択して出力することを特徴とする。
【００１２】
また、前記指定手段は、前記ディスク内に含まれる画像データを表示した後に、希望の画像データを指定することを特徴とする。
【００１３】
また、前記指定手段で指定された画像データを表示画面サイズに合わせて変換後、前記記憶手段に記憶することを特徴する。
【００１４】
【発明の実施の形態】
以下、本発明の実施の形態を図面に基づいて説明する。図１は、本発明によるディスク再生装置の実施の形態を示すブロック図である。
【００１５】
図１のディスク再生装置において、１は光ディスク７ａ、記憶装置部８（後で述べる）等より得られた画像データに基づく画像を表示する表示部、２は各種動作の指示を入力するキー操作部、３はリモコンからの信号を受けるリモコン受光部、４はシステム全体の制御を行うシステム制御部、５は画像データのフォーマットが表示可能フォーマットと異なっていたときにフォーマットを変更する画像フォーマット変換部（民生機器の場合、全ての画像フォーマットが表示できるとは限らないため、例えばビットマップからＪＰＥＧへの変換等を行う）、６は画像データを出力する画像データ出力部、７は光ディスク等の記録媒体を再生する再生部、８は各種のデータを格納する記憶装置部（ＨＤＤ／不揮発メモリ等）である。
【００１６】
また、再生部７で再生する光ディスク内のデータ構造で、光ディスク内に存在する圧縮音声ファイルには、付加情報を格納できるエリアが設けられ、画像ファイルを格納できるものがあり、例えば、図２、３に示すようにＭＰ３圧縮音声ファイルの付加情報ＩＤ３ｔａｇｖ．２は、圧縮音声データの先頭部分にＴＥＸＴ情報の他に、ＪＰＥＧ、ＰＮＧなどの画像データが格納でき、また、ＩＤ３ｔａｇｖ．２のヘッダには、このＩＤ３ｔａｇサイズ、画像ファイルサイズなどが明記されている。
【００１７】
本発明の実施の形態では、一例として再生部７でＭＰ３データを有する光ディスク７ａを再生するものであり、圧縮音声ファイルが持つ画像データを、ユーザが任意に壁紙又はスクリーンセーバとして設定する機能を有するディスク再生装置についての説明をする。
【００１８】
上記のように構成されたディスク再生装置における、壁紙設定の手順を図４のフローチャートを用いて説明する。
【００１９】
壁紙設定モードに設定されると、壁紙の画像として予め製造メーカが用意して記憶装置部８に保存されている固有（固定）の画像データを使用するか、ユーザが希望する画像データ（ここでは圧縮音声ファイルに含まれる画像データ）を使用するかを選択する（ステップＳ１１）。
【００２０】
ステップＳ１１で、予め製造メーカが用意した固有の画像が選択された場合は設定条件を記憶装置部８に記憶して（ステップＳ１３）、壁紙設定を終了し、圧縮音声が選択されると圧縮音声ファイルから希望する画像データを指定して抽出し（ステップＳ１２）、抽出された画像データと設定条件を記憶装置に記憶して（ステップＳ１３）壁紙設定は終了する。
【００２１】
上記設定後の壁紙表示動作について、図５のフローチャートにしたがって説明すると、壁紙設定が予め用意された固有の画像データか圧縮音声ファイルから抽出した画像データかを判断し（ステップＳ２１）、予め用意された固有の画像データの場合は記憶装置部より予め用意された固有の画像データを呼び出し（ステップＳ２２）、圧縮音声ファイルから抽出した画像データの場合は記憶装置部８に格納されている圧縮音声ファイルから抽出した画像データを呼び出し（ステップＳ２３）、呼び出した画像データを出力し壁紙として表示する（ステップＳ２４）。
【００２２】
このように、ユーザの希望する壁紙を光ディスク７ａ内にある圧縮音声ファイルの画像データを用いることによって、必要以上にメモリを増やす必要がなくなると同時に、新しく画像データを作成する必要がなくなる。
【００２３】
すなわち、多数の画像データを記憶装置部８に格納しておく必要がなくなり、メモリ容量としては圧縮音声ファイルに添付され、指定された画像データを格納しておくだけの容量があれば良いことになる。
【００２４】
次に、図４フローチャートのステップＳ１２のユーザが圧縮音声ファイルより希望する画像データを抽出する動作を図６のフローチャートにしたがって詳しく説明する。
【００２５】
図４のステップＳ１１で圧縮音声が選択された場合に、再生部７の光ディスク７ａに存在する圧縮音声ファイルに含まれる付加情報内の画像データを検索し、画像データのフォーマットが再生装置で表示可能なフォーマットであるかどうかのチェックを行う（ステップＳ３４）。
【００２６】
ステップＳ３４で、画像データが再生装置で表示できるフォーマットであった場合はそのまま表示し（ステップＳ３６）、そうでない場合は画像フォーマット変換部５で表示可能な画像フォーマットに変換(ステップＳ３５)後に表示し（ステップＳ３６）、ユーザはそれら圧縮音声ファイルに含まれる画像データの中から希望の画像を選択する（ステップＳ３７）。圧縮音声ファイルに含まれる画像データを表示画面に一覧表示する場合には各ファイルに含まれる画像データをそのままの表示サイズで表示する必要はなく、例えば元の画像よりも高い圧縮率の画像データに変換して一覧表示を行い、選択後、実際に表示するときに元の画像データに戻すことにより、使用メモリ量の必要以上の増加を防ぐことができる。
【００２７】
そして、選択した画像データが表示部１の表示可能サイズに合っているかを判断し（ステップＳ３８）、合っている場合はその画像データを出力して表示部１に表示し（ステップＳ４０）、合っていない場合は画像フォーマット変換部５で画像サイズを変更し（ステップＳ３９）、出力して表示部１に表示する（ステップＳ４０）。表示可能サイズとは、表示画面上の表示サイズであって、例えば静止画であれば、壁紙の場合はほぼ表示画面サイズであり、後で述べるスクリーンセーバの場合は表示画面上を移動可能なサイズとしても良い。
【００２８】
続いて、表示された画像に関してユーザが編集するかどうか判断し（ステップＳ４１）、編集しない場合はその画像データを記憶装置部８に記憶し（ステップＳ４３）、編集する場合はユーザが編集を行い（ステップＳ４２）、編集後の画像データを記憶装置部８に記憶（ステップＳ４３）して、圧縮音声ファイルよりユーザの希望する壁紙（又は後述するスクリーンセーバ）の画像データの抽出動作を終了する。
【００２９】
次に、スリーンセーバに圧縮音声ファイルの画像データを使用する場合の設定について図７のフローチャートにしたがって説明する。
【００３０】
スクリーンセーバ設定モードに設定されると、動作モードとして、スリーンセーバ動作の実行タイミングが一定時間経過後かディスク再生中のどちらの場合かの選択を行う（ステップＳ５１）。
【００３１】
ステップＳ５１で再生中が選択されると、スクリーンセーバの画像として予め製造メーカが用意して記憶装置部８に格納されている固有の画像データを使用するか、ユーザが希望する画像データ（ここでは圧縮音声ファイルに含まれる画像データ）を使用するかを選択する（ステップＳ５２）。
【００３２】
ステップＳ５２で、予め製造メーカが用意した固有の画像を選択した場合は設定条件を記憶装置部８に記憶し（ステップＳ５５）、圧縮音声を選択した場合は画面サイズの変更の有無を確認し（ステップＳ５３）、画面サイズの変更がないときは、設定条件を記憶装置部８に記憶し（ステップＳ５５）、画面サイズを変更するときは画面サイズの変換を行い（ステップＳ５４）設定条件を記憶装置部８に記憶する（ステップＳ５５）。
【００３３】
ステップＳ５１で実行タイミングを一定時間経過後を選択した場合は、スクリーンセーバ動作開始時間の設定を行い（ステップＳ５６）、スリーンセーバ画像を予め製造メーカが用意した固定の画像にするか圧縮音声ファイル内の画像データにするかを選択する（ステップＳ５７）。
【００３４】
ステップＳ５７で予め製造メーカが用意した固有の画像が選択された場合は、設定条件を記憶装置部８に記憶し（ステップＳ５９）、圧縮音声ファイル内の画像データを選択した場合は、壁紙設定と同様の手順（図６のフローチャート参照）により、圧縮画像ファイルから希望の画像データを抽出し（ステップＳ５８）、設定条件と画像データを記憶装置部８に記憶して（ステップＳ５９）、スクリーンセーバの設定を終了する。
【００３５】
続いて、スリーンセーバの動作を図８のフローチャートにしたがって説明する。
【００３６】
一定時間経過後か再生中かを判断し（ステップＳ６１）、一定時間経過後の場合、すなわち、再生停止あるいはキー入力が終了時より経過時間をカウントし（ステップＳ６２）、ユーザが設定した時間内に何らの操作指示がないときに、上記の設定にしたがって記憶装置部８より画像データを呼び出し出力してスクリーンセーバ表示を行う（ステップＳ６３）。
【００３７】
ステップＳ６１で再生中の場合は、スリーンセーバの設定条件が予め製造メーカが用意した固有の画像なのか圧縮音声なのかを判断し（ステップＳ６４）、設定条件が予め製造メーカの用意した固有の画像のときには再生が開始された時点で予め記憶装置部８に記憶された上記固有の画像データを呼び出して表示する（ステップＳ６５）。このときに固有の画像データがない場合、初期設定としてスクリーンセーバＯＦＦに設定しても良い。
【００３８】
ステップＳ６４で、設定条件が圧縮音声の場合は、現在再生中の光ディスク７ａが画像データをもっているかを判断し（ステップＳ６６）、画像データを持っていないときには予め記憶装置部８に記憶された予め製造メーカの用意した固有の画像データを呼び出して表示し（ステップＳ６５）、画像データを持っているときはその画像データが再生装置で表示可能なフォーマットかどうかの判断を行う（ステップＳ６７）。
【００３９】
ステップＳ６７で、表示可能フォーマットと判断されれば次のステップＳ６９へ進み、そうでない場合は画像フォーマットを表示可能なフォーマットに変換して（ステップＳ６８）、ステップＳ６９へ進む。
【００４０】
ステップＳ６９では、画像データが設定された表示サイズかどうかの判断を行い、設定された表示サイズであればスクリーンセーバとして表示し（ステップＳ７１）、そうでない場合は、画像フォーマット変換部５で画像サイズを変換（ステップＳ７０）後、リサイズ後の画像をスクリーンセーバとして表示する（ステップＳ７１）。
【００４１】
ＭＰ３データなどの圧縮音声ファイル内の画像データは、さまざま表示サイズの静止画である場合が多く、このような静止画の場合に静止画サイズが表示画面サイズより小さければ、静止画像を有効表示画面上の表示座標を移動させて、スクリーンセーバとして表示する。
【００４２】
上述の実施の形態において、ユーザが設定した動作開始時間経過したとき、指定された特定の画像データを選択せずに、動作開始時間経過時点で再生中ディスクの圧縮音声ファイルの画像データを表示サイズのみを変換してスクリーンセーバとして表示しても良い。
【００４３】
また、再生中のディスクが画像データを持っていない場合に、以前表示していた画像データを引き続き表示しても良い。
【００４４】
このように、本実施の形態のスクリーンセーバ表示の場合も、壁紙の場合同様に、ユーザの希望するスクリーンセーバ表示を光ディスク内にある圧縮音声ファイルの画像データを用いることによって、必要以上にメモリを増やす必要がなくなると同時に、新しく画像データを作成する必要がなくなり、メモリ容量としては圧縮音声ファイルに添付され、指定された画像データを格納しておくだけの容量があれば良いことになる。
【００４５】
更に、ディスク再生中の場合は、再生中のディスクにある画像データを使用することで、新しく画像データを記憶装置部８に格納する必要がなくなる。
また、再生する曲が変わるごとに、現在、再生中の曲（ファイル）にある画像データを使用するように設定すれば、表示されている画像を自動的に変えることも可能である。
【００４６】
上述の実施の形態において、スクリーンセーバ表示で「再生中」と「一定時間経過後」の場合を設定したが、「再生中で一定時間操作がない」場合の対応については「再生中」または「一定時間経過後」のどちらを優先するかは予め製造メーカで設定してあっても良いし、ユーザが決めても良い。
【００４７】
以上、本実施の形態においてはＭＰ３の付加機能を利用して、希望の画像データを抽出して壁紙又はスクリーンセーバとして表示したが、本発明はこれに限らず、他の記録媒体に含まれる画像データから希望の画像データを抽出して表示するようにしても良い。
【００４８】
また、抽出して記憶装置部８に記憶された画像データは、今までと異なる画像データを新たに壁紙又はスクリーンセーバとして抽出したときに、記憶装置部８から削除するようにしても良いし、ディスク交換時に削除するようにしても良い。
【００４９】
また、画像データ、設定条件等をシステム制御部４に接続された記憶装置部８に格納したが、システム制御部４内のＲＡＭに記憶しても良い。
【００５０】
更に、上述の実施の形態では、壁紙、スクリーンセーバ動作時に、圧縮音声ファイルに含まれる画像データが表示できない場合にはフォーマットを変換して表示しているが、画像データが表示できないフォーマットの場合にはフォーマット変換を行わずに予め用意されている固有の画像データを表示又は前に表示していた画像データをそのまま表示するようにしても良い。この場合は画像フォーマット変換部の必要はなくなる。
【００５１】
【発明の効果】
本発明のディスク再生装置によれば、必要以上にメモリを増加することなく、ユーザの嗜好に合わせた壁紙又はスクリーンセーバ表示が可能となる。
【図面の簡単な説明】
【図１】本発明の実施の形態によるディスク再生装置のブロック図である。
【図２】ＭＰ３の構造概略図である。
【図３】ＩＤ３ＴＡＧｖ．２の構造概略図である。
【図４】壁紙設定のフローチャート図である。
【図５】壁紙動作のフローチャート図である。
【図６】圧縮音声ファイルから希望の画像データを抽出するときのフローチャート図である。
【図７】スクリーンセーバ設定のフローチャート図である。
【図８】スクリーンセーバ動作のフローチャート図である。
【図９】従来の壁紙表示のフローチャート図である。
【図１０】従来のスクリーンセーバ表示のフローチャート図である。
【符号の説明】
１  表示部
２  キー操作部
３  リモコン受光部
４  システム制御部
５  画像フォーマット変換部
６  画像データ出力部
７  再生部
８  記憶装置部
【図１】
2004214749.tif 000003
【図２】
2004214749.tif 000004
【図３】
2004214749.tif 000005
【図４】
2004214749.tif 000006
【図５】
2004214749.tif 000007
【図６】
2004214749.tif 000008
【図７】
2004214749.tif 000009
【図８】
2004214749.tif 000010
【図９】
2004214749.tif 000011
【図１０】
2004214749.tif 000012